(57)【要約】【課題】  開脚状態と収納状態とでこれら状態を保持する充分なロック機構を備え、しかも、同じ動作でこれらロック状態を解除することのできる糊付機の支持構造を得る。【解決手段】  糊付機本体部を載置する台座部と、糊付機本体部を所定高さで支持するために台座部の左右両端下部にそれぞれ配される脚部と、左右両脚部を台座部の裏面側へ折り畳んだ収納状態と台座部の裏面側から垂下起立させた開脚状態との間で各々回動軸を中心にして対向する互いに左右方向に回動可能に台座部下部に連結する脚部回動手段とを備えた壁紙糊付機の支持構造において、脚部回動手段が脚部に掛止して脚部の回動を阻止する１つのストッパーと、脚部に掛止して脚部の回動を阻止する掛止位置と脚部に係合しない解除位置との間でのみストッパーを動作可能とするストッパーガイドと、ストッパーを掛止位置へ付勢する付勢手段とを備え、脚部がストッパーに対して収納状態で掛止される第１被掛止部と開脚状態で掛止される第２被掛止部とを備えたもの。【選択図】      図３
2005342990.tif 000002
【特許請求の範囲】
【請求項１】
後部から引き入れられたシート状壁装材を前部に引き出す際に前記壁装材の裏面に糊を塗布する糊付機本体部を載置する台座部と、
前記糊付機本体部を所定高さで支持するために台座部の左右両端下部にそれぞれ配される脚部と、
前記左右両脚部を前記台座部の裏面側へ折り畳んだ収納状態と、台座部の裏面側から垂下起立させた開脚状態との間で各々回動軸を中心にして対向する互いに左右方向に回動可能に台座部下部に連結する脚部回動手段と、
を備えた壁紙糊付機の支持構造において、
前記脚部回動手段が、前記脚部に掛止して脚部の回動を阻止する１つのストッパーと、前記脚部に掛止して脚部の回動を阻止する掛止位置と前記脚部に係合しない解除位置との間でのみストッパーを動作可能とするストッパーガイドと、前記ストッパーを掛止位置へ付勢する付勢手段とを備え、
前記脚部が、前記ストッパーに対して収納状態で掛止される第１被掛止部と、開脚状態で掛止される第２被掛止部とを備えたことを特徴とする壁紙糊付機の支持構造。
【請求項２】
前記左右両脚部が、各々の前記台座部の前後両端下部に前後脚部を備え、
前記脚部回動手段が、左右両脚部の各々の前後脚部に備わり、
前記ストッパーが、左右両脚部の各々で前後脚部に渡されていることを特徴とする請求項１に記載の壁紙糊付機の支持構造。
【請求項３】
前記脚部回動手段として、前記台座部に連結され、前記左右両脚部の回動軸を保持すると共に前記ストッパーガイドとしての長孔を形成する脚部保持部材を備え、
前記台座部は、前記左右両脚部の収納時に台座部を支える収納時脚として機能する前記脚部保持部材を覆うガード部材を更に備え、
前記ガード部材には、貫通孔が形成され、
前記脚部保持部材には、前記ガード部材の貫通孔に掛合する掛合片が立設されていることを特徴とする請求項１又は２に記載の壁紙糊付機の支持構造。
【請求項４】
前記脚部回動手段として、前記台座部に連結され、前記左右両脚部の回動軸を保持すると共に前記ストッパーガイドとして前記ストッパーを第１被掛止部と第２被掛止部との各々の掛止位置にカム孔を形成する脚部保持部材を備え、
前記台座部は、前記左右両脚部の収納時に台座部を支える収納時脚として機能する前記脚部保持部材を覆うガード部材を更に備え、
前記ガード部材には、貫通孔が形成され、
前記脚部保持部材には、前記ガード部材の貫通孔に掛合する掛合片が立設されていることを特徴とする請求項１又は２に記載の壁紙糊付機の支持構造。
【請求項５】
前記脚部の下端部に回動軸を介して回動自由に配されたキャスター車輪部が、該車輪部の重心を前記回転軸の延長線上から外した位置に取付けられており、
前記ガード部材高さを前記脚部の収納時に前記キャスター車輪部が接地しない高さとされているものであることを特徴とする請求項３又は４に記載の壁紙糊付機の支持構造。
【請求項６】
前記脚部には、
本体部後方に支持され、前記糊付機本体部へ向かう糊付前の壁装材に張力を付与するために、前記壁装材の搬送経路位置で該壁装材に当接するテンションバーと、
このテンションバーを、前記開脚状態での搬送系路位置と前記収納状態へ折り畳まれる左右両脚部に干渉しない退避位置との間で変位可能に支持するテンションバー支持手段とを更に備えたことを特徴とする請求項１〜５の何れか１項に記載の壁紙糊付機の支持構造。
【発明の詳細な説明】
【技術分野】
【０００１】
本発明は、室内壁面等に貼付されるシート状壁装材の裏面に連続的に糊を塗布する壁紙糊付機に関するものである。
【背景技術】
【０００２】
現在、建築物の内装施工における壁装材の室内壁面への貼付は、現場で専用の壁紙糊付機を用いてシート状の壁装材に連続的に糊を塗布しながら行うのが一般的となっている。
【０００３】
このような壁紙糊付機の一般的な構成は、内部に複数のローラが配置された上部構体及び下部構体から構成される糊付機本体を支持脚部上に載置し、上下構体の間に挟み込んだシート状壁装材（以下、クロスと記す）をローラで搬送しながら、下部構体の糊桶から糊をローラで糊上げ、壁装材裏面に転写塗布していくものである。
【０００４】
従来から壁紙糊付機には手動式と自動式とがある。即ち、下部構体上に原反ロールから繰り出したクロスを先端部が本体前方に垂れる状態で載置して上部構体を閉じて下部構体と上部構体の所定ローラ間にクロスを挟み込んだ状態にしておく。
【０００５】
手動式装置ではクロス先端を持って前方へ引っ張ることにより、クロスを上下で挟んでいるローラの一部を追従回転させると共に他のローラをギアを介して連動回転させてクロスを糊付機本体の後方から前方へ搬送させながら、途中で糊桶内の糊をその回転によって引き上げているローラの頂点上で、このローラから糊が裏面に転写され、糊塗布済み状態で前方から送り出されてくる。また、自動式装置では、所定のローラの軸を電動モータ等の駆動源に連結して回転させることによって、他のローラもギアを介して連動回転するものである。
【０００６】
このような壁紙糊付機を用いる作業現場では、１つの部屋の内装作業を終わらせた後、別の部屋に糊付機を移動させて取りかかっていた。その際には、内部の糊桶には糊液が入ったままで移動する場合が多々あった。そのために、糊付機は自由に方向の変えられるキャスターが備わっているが、階下（又は階上）の作業現場への移動は行えず、２人掛かりで糊付機を持ち上げて移動することも多かった。特に階段で移動する際には、糊付機の脚部は開脚状態では移動不可能であるため、収納状態にして階段を上り下りする必要があった。
【０００７】
そこで、脚部の開閉作業を容易にするとともに、装置の使用状態における安定性、およびメンテナンス性を向上させた脚部構造が提案されている（特許文献１参照）。これは、脚の回動支点の上部にロック部材を配し、このロック部材が脚の支点上方もしくは側方に当接することによって脚を保持するものである。この場合は、ロック部材はバネのような付勢手段で脚に当接しているだけであるから解除は簡単であり、脚の解放時には自動的にロックがされるため作業性が良い利点があった。
【０００８】
更に別の脚部構造の工夫として、脚部上端部を脚部支持部材に軸着し、その下方に係止用突起を設け、脚部支持部材には係止用突起と係合するロック手段を取着したものが提案されている（特許文献２参照）。これは、脚部の回動支点の上方に、脚部の延長部を設けることが必要でないため、脚部を折り畳んで収納する場合に、幅方向の長さを小さくすることができる利点があった。
【特許文献１】特開平０８−１４１０２２号公報
【特許文献２】特開２００１−１７０５３１号公報
【発明の開示】
【発明が解決しようとする課題】
【０００９】
しかしながら、特許文献２に記載された脚部構造では、掛止突起に掛合するかぎ形の掛け金で固定するため、衝撃に対して脆弱である。また、特許文献１に記載された脚部構造では、開脚状態でのロック機構は安定性が向上したが、収納状態は台座部に設けられた前後の脚部の外側壁を板バネ状部材で挟持するストッパで収納時の固定を行っていたため、収納状態から開脚状態への移行に手間が必要であった。尚、特許文献２でも同様のストッパで固定されているため、同様に収納状態から開脚状態への移行に手間が必要であった。
【００１０】
具体的には、この板バネ部材で脚部を挟持するストッパは、板バネが硬いと手で解除しようとしても無理があり、現場では足で蹴って解除していたりもする。このため、ミリ単位での検尺や０．１ミリ単位での糊厚を実施する糊付機に多大な悪影響があることは必至であった。逆に長年使用していて板バネの挟持力が緩むと突然ストッパが外れて事故を起こす危険性がある。
【００１１】
本発明は、開脚状態と収納状態とでこれら状態を保持する充分なロック機構を備え、しかも、同じ動作でこれらロック状態を解除することのできる糊付機の支持構造を得ることを目的とする。また、開脚状態と収納状態とでこれら状態を保持するロック機構が堅牢な糊付機の支持構造を得ることを目的とする。更に、開脚状態への移行の際に、スムーズに開脚できて、開脚時の衝撃が少ない糊付機の支持構造を得ることを目的とする。
【課題を解決するための手段】
【００１２】
請求項１に記載された発明に係る壁紙糊付機の支持構造は、後部から引き入れられたシート状壁装材を前部に引き出す際に前記壁装材の裏面に糊を塗布する糊付機本体部を載置する台座部と、
前記糊付機本体部を所定高さで支持するために台座部の左右両端下部にそれぞれ配される脚部と、
前記左右両脚部を前記台座部の裏面側へ折り畳んだ収納状態と、台座部の裏面側から垂下起立させた開脚状態との間で各々回動軸を中心にして対向する互いに左右方向に回動可能に台座部下部に連結する脚部回動手段と、
を備えた壁紙糊付機の支持構造において、
前記脚部回動手段が、前記脚部に掛止して脚部の回動を阻止する１つのストッパーと、前記脚部に掛止して脚部の回動を阻止する掛止位置と前記脚部に係合しない解除位置との間でのみストッパーを動作可能とするストッパーガイドと、前記ストッパーを掛止位置へ付勢する付勢手段とを備え、
前記脚部が、前記ストッパーに対して収納状態で掛止される第１被掛止部と、開脚状態で掛止される第２被掛止部とを備えたことを特徴とするものである。
【００１３】
このため、開脚状態と収納状態とでこれら状態を保持する充分なロック機構を備え、しかも、同じ動作でこれらロック状態を解除することができる。
【００１４】
本発明のストッパーとしては、脚部に掛止して脚部の回動を阻止するものであればよく、ストッパーガイドによって脚部の回動を阻止する掛止位置と脚部に係合しない解除位置との間で動作するものであり、好ましくは付勢手段で掛止位置へ付勢されるものであればよい。より好ましくは、ワンアクションで右又は左の前後脚部の脚部回動手段を操作できるように、左右両脚部が各々の台座部の前後両端下部に前後脚部を備え、この脚部回動手段が左右両脚部の各々の前後脚部に備わり、ストッパーが左右両脚部の各々で前後脚部に渡されているものが挙げられる。
【００１５】
そのため、請求項２に記載された発明に係る壁紙糊付機の支持構造は、請求項１に記載の左右両脚部が、各々の前記台座部の前後両端下部に前後脚部を備え、
前記脚部回動手段が、左右両脚部の各々の前後脚部に備わり、
前記ストッパーが、左右両脚部の各々で前後脚部に渡されていることを特徴とするものである。
【００１６】
また、本発明の第１被掛止部は、脚部の収納状態にストッパーの掛止位置でこのストッパーに掛止されて脚部の回動を阻止するものであり、本発明の第２被掛止部は、脚部の開脚状態にストッパーの掛止位置でこのストッパーに掛止されて脚部の回動を阻止するものであればよい。より好ましくは、脚部回動手段として、台座部に連結され、前記左右両脚部の回動軸を保持すると共に前記ストッパーガイドとしての長孔を形成する脚部保持部材を備える。更に、脚部回動手段としては、台座部に連結され、前記左右両脚部の回動軸を保持すると共に前記ストッパーガイドとして前記ストッパーを第１被掛止部と第２被掛止部との各々の掛止位置にカム孔を形成する脚部保持部材を備えたものも挙げられる。
【００１７】
この脚部保持部材には、脚部の収納状態と開脚状態との間を超える回動を規制する機構を備え（例えば、各々に位置で回動を規制する邪魔板を配し）、一方の状態での他方の状態への回動をストッパーで阻止するように配すればよい。
【００１８】
また、本発明では、開脚状態と収納状態とでこれら状態を保持する脚部保持部材を堅牢とするために、台座部は、前記左右両脚部の収納時に台座部を支える収納時脚として機能する前記脚部保持部材を覆うガード部材を更に備え、前記ガイド部材には、貫通孔が形成され、前記脚部保持部材には、前記ガード部材の貫通孔に掛合する掛合片が立設されているものが挙げられる。
【００１９】
そこで、請求項３に記載された発明に係る壁紙糊付機の支持構造は、請求項１又は２に記載の脚部回動手段として、前記台座部に連結され、前記左右両脚部の回動軸を保持すると共に前記ストッパーガイドとしての長孔を形成する脚部保持部材を備え、
前記台座部は、前記左右両脚部の収納時に台座部を支える収納時脚として機能する前記脚部保持部材を覆うガード部材を更に備え、
前記ガード部材には、貫通孔が形成され、
前記脚部保持部材には、前記ガード部材の貫通孔に掛合する掛合片が立設されていることを特徴とするものである。
【００２０】
更に、請求項４に記載された発明に係る壁紙糊付機の支持構造は、請求項１又は２に記載の脚部回動手段として、前記台座部に連結され、前記左右両脚部の回動軸を保持すると共に前記ストッパーガイドとして前記ストッパーを第１被掛止部と第２被掛止部との各々の掛止位置にカム孔を形成する脚部保持部材を備え、
前記台座部は、前記左右両脚部の収納時に台座部を支える収納時脚として機能する前記脚部保持部材を覆うガード部材を更に備え、
前記ガード部材には、貫通孔が形成され、
前記脚部保持部材には、前記ガード部材の貫通孔に掛合する掛合片が立設されていることを特徴とするものである。
【００２１】
また、本発明の脚部の下端部に回動軸を介して回動自由に配されたキャスター車輪部が、この車輪部の重心を前記回転軸の延長線上から外した位置に取付けられ、ガード部材高さを脚部の収納時にこのキャスター車輪部が接地しない高さとされているものでは、開脚状態への移行の際に、スムーズに開脚できて、開脚時の衝撃が少ない糊付機の支持構造を得ることができる。
【００２２】
従って、請求項５に記載された発明に係る壁紙糊付機の支持構造は、請求項３又は４に記載の脚部の下端部に回動軸を介して回動自由に配されたキャスター車輪部が、該車輪部の重心を前記回転軸の延長線上から外した位置に取付けられており、
前記ガード部材高さを前記脚部の収納時に前記キャスター車輪部が接地しない高さとされているものであることを特徴とするものである。
【００２３】
更に、本発明では、脚部に本体部後方に支持され、前記糊付機本体部へ向かう糊付前の壁装材に張力を付与するために、前記壁装材の搬送経路位置で該壁装材に当接するテンションバーと、このテンションバーを、前記開脚状態での搬送系路位置と前記収納状態へ折り畳まれる左右両脚部に干渉しない退避位置との間で変位可能に支持するテンションバー支持手段とを更に備えるため、テンションバーを支持構造から着脱することなく、脚部の折り畳み収納が支障なく行うことができる。
【００２４】
請求項６に記載された発明に係る壁紙糊付機の支持構造は、請求項１〜５の何れか１項に記載の脚部には、
本体部後方に支持され、前記糊付機本体部へ向かう糊付前の壁装材に張力を付与するために、前記壁装材の搬送経路位置で該壁装材に当接するテンションバーと、
このテンションバーを、前記開脚状態での搬送系路位置と前記収納状態へ折り畳まれる左右両脚部に干渉しない退避位置との間で変位可能に支持するテンションバー支持手段とを更に備えたことを特徴とするものである。
【発明の効果】
【００２５】
本発明は以上説明した通り、開脚状態と収納状態とでこれら状態を保持する充分なロック機構を備え、しかも、同じ動作でこれらロック状態を解除することのできる糊付機の支持構造を得ることができる。また、開脚状態と収納状態とでこれら状態を保持するロック機構が堅牢な糊付機の支持構造を得ることができる。更に、開脚状態への移行の際に、スムーズに開脚できて、開脚時の衝撃が少ない糊付機の支持構造を得ることができるという効果がある。
【発明を実施するための最良の形態】
【００２６】
１．全体構成
図１は本発明の支持構造を備えた壁紙糊付機の側方構成を示す説明図である。図１に示す通り、壁紙糊付機は、糊付機本体１と、この糊付機本体１を載置する台座部２と、糊付機本体１を所定高さで支持するために台座部２の左右両端下部にそれぞれ前後に二本一対で配される前脚３１と後脚３２とで構成される脚部３とからなる。
【００２７】
一対の後脚３２には、クロス受けブラケット３３が回動自在に配されており、クロス受けブラケット３３の先端部には、原反ロールＲの中心に通されたクロス芯棒３４が軸支されている。原反ロールＲから繰り出される壁装材（クロス）Ｃは、後脚３２の折り畳み部３５に横架された第１テンションバー３６に当接して引き込み口での引き込み荷重が与えられる。この第１テンションバー３６は、台座部２の前脚３１と後脚３２との中間位置下方に設けられたカットテープ取付け芯棒３７に一端部を回動自在に軸支された第１テンションバー回動部材３８の他端部に取付けられることにより、折り畳み時に台座部２の前脚３１の上部へ収納することができる。
【００２８】
糊付機本体１は、糊桶６を主とする下部構体４とその上に開閉可能に載置される上部構体５とによって構成される。下部構体４の後面側には着脱可能なスリッター部９が配され、上部構体５はこのスリッター部９と下部構体４とを覆うように配されている。
【００２９】
各ローラの回転に伴って糊付機本体１の後面側から前方へ搬送されてくるクロス裏面に回転しながら当接して連続的に糊を塗布する糊付けローラ４１は、下部構体４の左右両側壁面の軸支板に、できるだけ糊桶６内に沈む下方位置の配置となるように軸支されている。また、糊桶６内の糊を回転によって掻き上げて糊付けローラ４１に転写する糊上げローラ６１は、糊桶６の両側側面に、中心より後面側寄りの位置で軸支されている。
【００３０】
糊付けローラ４１は、糊付機本体１に着脱自在に取付けられる駆動源である電動モータを備えたコントローラ（図示せず）の回転軸に連結されている。糊桶６の側板に軸止された糊付けローラ４１の回転軸は、下部構体４に配置される下ピンチローラ４２、ドクターローラ４３、均しローラ４４及び上部構体５に配置される検尺ローラとして用いられる上ピンチローラ５１、押さえローラ５２、ドライブローラ５３のうちの所定ローラの回転軸とギアを介して連動される。
【００３１】
糊付けローラ４１の回転に伴って、ギアを介して回転運動が伝達された他のローラも回転し、上下部構体間に挟み込まれているクロスＣを後方から前方へ搬送し、その途中で糊付けローラ４１上を搬送される際に糊桶６から引き上げられた糊がクロス裏面に転写塗布される。
【００３２】
また、糊付機本体１の後面側には、スリッター９を備える。スリッター９は、クロスＣを沿わせて搬送する搬送通路となるガイド面部９１と、このガイド面部９１への上流側とガイド面部９１の下流側にクロス全幅に亘ってガイド面部９１方向へ押圧された状態でガイド面部９１上にテンションをかけるように配置される２つのテンションバー９２，９３と、ガイド面部９１の側端部領域に各々回転刃９０とを備えている。尚、スリッター９の両側壁部の上部に設置されているのは、収納時にクロス芯棒３４を保持するホルダー９４である。
【００３３】
スリッター９０の下方の第２テンションバー９２は、第１テンションバー３６と同様にクロスＣの全幅を超える長さの丸棒部材であり、第２テンションバー９２の両端部を支持する第２テンションバー回動部材９５により、開いた状態でクロスＣを装着することができ、クロスＣの両耳部を切断する際には、テンションをかけるようにスリッター下方に移動可能である。また、ガイド面部９１への上流側の第３テンションバー９３は、挟み込まれたクロスＣをガイド面部９１へ押付ける機構を備え、回転刃９０による切断の際にガイド面部９１からクロスＣが浮き上がることを防止すると共に、ガイド面部９１の下流側曲面９６と併せて糊付機本体へ引き込まれるクロスＣに良好なテンションをかけることができる。
【００３４】
２．支持構造(1) 
図２は図１の右側脚部の正面図である。図３は図１及び図２の脚部の構成を示す説明図である。図４は脚部保持部材の構成を示す説明図である。台座部２と脚部３との接続は、脚部保持部材２１によってなされている。図４に示す通り、台座部２の四隅部下面に脚部保持部材２１ａ，ｂが連結されている。各々の脚部保持部材２１ａ，ｂは左右側端部同士で対称であり、前後端部同士では前脚部保持部材２１ａが、後脚部保持部材２１ｂに対して、カッターを保管するためのカッターボックスを装着するための装着孔２３を突設状掛合片２２ａに備えた点が相違するだけで、他は同様の構成である。
【００３５】
即ち、図２、図３及び図４に示す通り、脚部保持部材２１ａ，ｂは、両脚部保持部材２１ａ，ｂに渡されて、脚部の第１被掛止部２４ａと第２被掛止部２４ｂとに掛止して脚部の回動を阻止する１つのストッパー２５と、脚部３の掛止部２４ａ，ｂに掛止して脚部の回動を阻止する掛止位置２６ａと脚部３に係合しない解除位置２６ｂとの間でのみストッパー２５を動作可能とするストッパーガイドとしての長孔２６と、ストッパー２５を掛止位置２６ａへ付勢する付勢手段としてのバネ２７とを備える。
【００３６】
更に、台座部２は、脚部保持部材２１ａ，ｂを覆うようにガード部材２８を更に備える。このガード部材２８は、両脚部３の収納時に台座部２を支える収納時脚としても機能する。このガ−ド部材２８には、前面側又は後面側に貫通孔２９ａ，ｂが形成されている。この貫通孔２９ａ，ｂは、脚部保持部材２１ａ，ｂの突設状掛合片２２ａ，ｂと、バネ状掛合片２２ｃ，ｄとを掛合する。
【００３７】
３．支持構造(2) 
本発明の別の支持体構造としては、図５のａ図に示す通り、図２に示す右側前脚部の背面図の別の構成を示している。更に図５のｂ図は、図４のａ図の別の構成を示している。各図に示す通り、台座部２と脚部３との接続は、脚部保持部材２１０によってなされている。図５に示す通り、台座部２の四隅部下面に脚部保持部材２１０が連結されている。各々の脚部保持部材２１０は左右側端部同士で対称であり、前後端部同士では前述と同様に、前脚部保持部材２１０が、後脚部保持部材に対して、カッターを保管するためのカッターボックスを装着するための装着孔２３を突設状掛合片２２ａに備えた点が相違するだけで、他は同様の構成である。
【００３８】
即ち、図５に示す通り、脚部保持部材２１０は、両脚部保持部材２１０に渡されて、脚部の第１被掛止部２４０ａと第２被掛止部２４０ｂとに掛止して脚部の回動を阻止する１つのストッパー２５０が備わっている。ストッパー２５０は、第１被掛止位置２６０ａと第２被掛止位置２６０ｂとでのみ脚部３の先端部にＵ字状に開設された掛止部２４０を上下すると共に、第１被掛止位置２６０ａと第２被掛止位置２６０ｂとの間では、掛止部２４０に入らないように移動するストッパーガイドとしてのカム孔２６０と、ストッパー２５を各掛止位置２６０ａ，ｂへ付勢する付勢手段としてのバネ２７０とを備える。
【００３９】
更に、台座部２は、脚部保持部材２１０を覆うようにガード部材２８０を更に備える。このガード部材２８０は、前述のものと同様に、両脚部３の収納時に台座部２を支える収納時脚としても機能する。このガ−ド部材２８０には、前面側又は後面側に貫通孔２９ａ，ｂが形成されている。この貫通孔２９ａ，ｂは、脚部保持部材２１ａ，ｂの突設状掛合片２２ａ，ｂと、バネ状掛合片２２ｃ，ｄとを掛合する。
【００４０】
４．支持構造におけるキャスター車輪
図６は支持構造の収納状態から開脚状態への移行におけるキャスター車輪の挙動を示す説明図である。図６に示す通り、脚部３の下端部に回動軸７１を介して回動自由に配されたキャスター７０の車輪部７２が、この車輪部７２の重心を回転軸７１の延長線上から外して取付けられ、ガード部材２８の高さを脚部３の収納時にこのキャスター車輪部７２が接地しない高さとしている。
【００４１】
このため、収納状態では、キャスターの車輪部７２は自重によって、地面に対して立設した状態となる。このため、収納状態から解除して、糊付機本体１を引き上げる際に、車輪部７２は、接地しつつ回転しながら、脚部が開脚状態へと移行する。これにより、開脚状態への移行の際に、スムーズに開脚できて、開脚時の衝撃が少ない糊付機の支持構造を得ることができる。
【００４２】
５．第１テンションバーの配置
台座部２の下方には第１テンションバー３６は、両端部が後脚３２の折り畳み部３５に嵌合することによって台座部２の裏面側下方で装着され、壁装材Ｃに対して表面（非糊塗布面）側から当接する。
【００４３】
この第１テンションバー３６は、折り畳み部３５への係合装着が着脱可能なものであると共に、その両端部が一対の第１テンションバー回動部材３８の一端部に支持され、この第１テンションバー回動部材３８の他端部は台座部２裏面のカットテープ取付け芯棒３７によって回動可能に枢支されている。従って、第１テンションバー３６は一対の第１テンションバー回動部材３８を介して台座部２に支持されている一方で折り畳み部３５に着脱可能に装着されるものであり、折り畳み部３５から取り外されても台座部２に支持された状態で支持構造から切り離されることはない。
【００４４】
一方、台座部２の裏面側で両前脚部保持部材２１ａの内側近傍には、第１テンションバー回動部材３８の一端部の回動軌跡の周上に相当する位置に第１テンションバー３６を着脱可能に係合装着する収納時固定手段としての固定ホルダー３０が設けられている。固定ホルダー３０の位置は、収納状態において台座部裏面側に折り畳まれた左右両脚部３と台座部２裏面との間に形成される空間内にあり、この第１テンションバー回動部材３８に係合装着されている状態においては、第１テンションバー３６は左右両脚部３の脚回動に干渉することはない。
【図面の簡単な説明】
【００４５】
【図１】本発明の支持構造を備えた壁紙糊付機の側方構成を示す説明図である。
【図２】図１の右側脚部の正面図である。
【図３】図１及び図２の脚部の構成を示す説明図である。
【図４】脚部保持部材の構成を示す説明図である。
【図５】別の脚部保持部材の構成を示す説明図である。
【図６】支持構造の収納状態から開脚状態への移行におけるキャスター車輪の挙動を示す説明図である。
【符号の説明】
【００４６】
１    …糊付機本体、
２    …台座部、
２１  …脚部保持部材、
２１ａ…前脚部保持部材、
２１ｂ…後脚部保持部材、
２２  …掛合片、
２２ａ…突設状掛合片、
２２ｂ…突設状掛合片、
２２ｃ…バネ状掛合片、
２２ｄ…バネ状掛合片、
２３  …装着孔、
２４ａ…第１被掛止部、
２４ｂ…第２被掛止部、
２５  …ストッパー、
２６  …長孔（ストッパーガイド）、
２６ａ…掛止位置、
２６ｂ…解除位置、
２１０…脚部保持部材、
２２  …掛合片、
２２ａ…突設状掛合片、
２２ｂ…突設状掛合片、
２２ｃ…バネ状掛合片、
２２ｄ…バネ状掛合片、
２４０…掛止部
２５０…ストッパー、
２６０…カム孔（ストッパーガイド）、
２６０ａ…第１被掛止位置、
２６０ｂ…第２被掛止位置、
２７０…バネ（付勢手段）、
２８０…ガード部材、
３    …脚部、
３１  …前脚、
３２  …後脚、
３３  …クロス受けブラケット、
３４  …クロス芯棒、
３５  …折り畳み部、
３６  …第１テンションバー、
３７  …カットテープ取付け芯棒、
３８  …第１テンションバー回動部材、
４    …下部構体、
４１  …糊付けローラ、
４２  …下ピンチローラ、
４３  …ドクターローラ、
４４  …均しローラ、
５    …上部構体、
５１  …上ピンチローラ（検尺ローラ）、
５２  …押さえローラ、
５３  …ドライブローラ、
６    …糊桶、
６１  …糊上げローラ、
７０  …キャスター、
７１  …回転軸、
７２  …車輪部、
９    …スリッター、
９０  …回転刃、
９１  …ガイド面部（搬送通路）、
９２  …第２テンションバー、
９３  …第３テンションバー、
９４  …ホルダー、
９５  …第２テンションバー回動部材、
９６  …下流側曲面、
９７  …切欠き、
Ｃ    …クロス、
Ｒ    …原反ロール、
【図１】
2005342990.tif 000003
【図２】
2005342990.tif 000004
【図３】
2005342990.tif 000005
【図４】
2005342990.tif 000006
【図５】
2005342990.tif 000007
【図６】
2005342990.tif 000008